(57)【要約】ＳＭスワップをより効率的に行うことを目的とする。移動体通信を行う移動通信装置１は、オペレーショナルプロファイル（ＯＰ）及びプロビジョニングプロファイル（ＰＰ）を記憶するｅＳＩＭ（embedded  Subscriber  Identity  Module）１１を装着する装着部１０と、ｅＳＩＭ１１に記憶されたＯＰに係る移動体通信網４ａを介して、移行先の移動体通信網４ｂに応じたＳＭ３ｂに係るＰＰを受信して、ｅＳＩＭ１１に記憶させるＰＰ受信部１３と、記憶されたＳＭ３ｂに係るＰＰを用いて、ＳＭ３ｂと通信を行って、移動体通信網４ｂに係るＯＰを受信して、ｅＳＩＭ１１に記憶させるＯＰ受信部１５と、を備える。
2014065273.tif 000002
【特許請求の範囲】
【請求項１】
移動体通信を行う移動通信装置と、移動通信装置が移動体通信を行う移動体通信網の移行を制御する移行制御装置とを含んで構成される通信システムであって、
移動通信装置は、
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段と、
前記装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、
前記第１の受信手段によって受信されて前記装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、
を備え、
移行制御装置は、
移動通信装置が移動体通信を行う移動体通信網の移行要求を入力する移行要求入力手段と、
前記移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、
前記移行要求入力手段によって入力された移行要求に係る移動通信装置についての移行先の移動体通信網に係る第１の接続情報を生成して、移行先の移動体通信網に応じた接続情報管理サーバに送信する第２の送信手段と、
を備える通信システム。
【請求項２】
移動通信装置は、移動体通信を行う移動体通信網の移行要求を送信する移行要求送信手段をさらに備え、
移行制御装置の前記移行要求入力手段は、移動通信装置の前記移行要求送信手段によって送信された移行要求を入力する、
請求項１に記載の通信システム。
【請求項３】
移動通信装置は、前記装着手段によって装着された加入者認証モジュールに記憶された第１の接続情報を削除する接続情報削除手段をさらに備える、
請求項１又は２に記載の通信システム。
【請求項４】
移動体通信を行う移動通信装置であって、
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段と、
前記装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、
前記第１の受信手段によって受信されて前記装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、
を備える移動通信装置。
【請求項５】
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力手段と、
前記移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、
前記移行要求入力手段によって入力された移行要求に係る移動通信装置についての移行先の移動体通信網に係る第１の接続情報を生成して、移行先の移動体通信網に応じた接続情報管理サーバに送信する第２の送信手段と、
を備える移行制御装置。
【請求項６】
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える、移動体通信を行う移動通信装置と、移動通信装置が移動体通信を行う移動体通信網の移行を制御する移行制御装置とを含んで構成される通信システムにおける移行制御方法であって、
移行制御装置が、移動通信装置が移動体通信を行う移動体通信網の移行要求を入力する移行要求入力ステップと、
移行制御装置が、前記移行要求入力ステップにおいて入力された移行要求に係る移動通信装置に対して、移行元の移動体通信網を介して、移行先の移動体通信網に応じた接続情報管理サーバに係る第２の接続情報を送信する第１の送信ステップと、
移動通信装置が、移行元の移動体通信網を介して、前記第１の送信ステップにおいて送信された第２の接続情報を受信して、当該加入者認証モジュールに記憶させる第１の受信ステップと、
移行制御装置が、前記移行要求入力ステップにおいて入力された移行要求に係る移動通信装置についての移行先の移動体通信網に係る第１の接続情報を生成して、移行先の移動体通信網に応じた接続情報管理サーバに送信する第２の送信ステップと、
移動通信装置が、前記第１の受信ステップにおいて受信されて前記装着手段によって装着された加入者認証モジュールに記憶された第２の接続情報を用いて、移行先の移動体通信網に応じた接続情報管理サーバと通信を行って、前記第２の送信ステップにおいて当該接続情報管理サーバに送信された当該移行先の移動体通信網に係る第１の接続情報を受信して、当該加入者認証モジュールに記憶させる第２の受信ステップと、
を含む移行制御方法。
【請求項７】
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える、移動体通信を行う移動通信装置による移行制御方法であって、
前記装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信ステップと、
前記第１の受信ステップにおいて受信されて前記装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信ステップと、
を含む移行制御方法。
【請求項８】
移動通信装置が移動体通信を行う移動体通信網の移行を制御する移行制御装置による移行制御方法であって、
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力ステップと、
前記移行要求入力ステップにおいて入力された移行要求に係る移動通信装置に対して、移行元の移動体通信網を介して、移行先の移動体通信網に応じた接続情報管理サーバに係る第２の接続情報を送信する第１の送信ステップと、
前記移行要求入力ステップにおいて入力された移行要求に係る移動通信装置についての移行先の移動体通信網に係る第１の接続情報を生成して、移行先の移動体通信網に応じた接続情報管理サーバに送信する第２の送信ステップと、
を含む移行制御方法。
【請求項９】
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備えた、移動体通信を行う移動通信装置を、
前記装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、
前記第１の受信手段によって受信されて前記加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、
として機能させる移行制御プログラム。
【請求項１０】
コンピュータを、
移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力手段と、
前記移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、
前記移行要求入力手段によって入力された移行要求に係る移動通信装置についての移行先の移動体通信網に係る第１の接続情報を生成して、移行先の移動体通信網に応じた接続情報管理サーバに送信する第２の送信手段と、
として機能させる移行制御プログラム。
【発明の詳細な説明】
【技術分野】
【０００１】
本発明は、通信システム、移動通信装置、移行制御装置、移行制御方法及び移行制御プログラムに関する。
【背景技術】
【０００２】
一般的に、携帯電話では、契約者情報が記録された加入者認証モジュールであるＳＩＭ（Subscriber  Identity  Module）カードを携帯電話に差し込むことで移動体通信が可能となる。ここで、ＳＩＭカードに関する規格は、欧州電気通信標準化機構であるＥＴＳＩ（European  Telecommunications  Standards  Institute）にて標準化されている（例えば、下記非特許文献１）。
【先行技術文献】
【非特許文献】
【０００３】
【非特許文献１】ＥＴＳＩ  ＴＳ  １０２  ２２１  Ｖ１１．０．０（２０１２−０６）
【０００４】
ＥＴＳＩでは現在、ＳＩＭ内の情報を遠隔制御にて書き換え可能なｅＳＩＭ（Embedded  SIM）の標準化を目指している。ｅＳＩＭには、オペレーショナルプロファイル（Operational  Profile、ＯＰ）及びプロビジョニングプロファイル（Provisioning  Profile、ＰＰ）と呼ばれるプロファイルが記憶される。ＯＰとは、特定の移動体通信事業者が提供する移動体通信網での移動体通信を行うために必要となる情報である。ｅＳＩＭは、ｅＳＩＭ内に記憶されたＯＰを利用することで、対応する移動体通信網での移動体通信を行うことができる。なお、ＯＰはサブスクリプションマネージャ（Subscription  Manager、ＳＭ）と呼ばれる接続情報管理サーバにて管理される。以降、あるＳＭにて管理されるＯＰに対応する移動体通信網のことを、当該ＳＭに属する移動体通信網と呼ぶ。【０００５】
一方、ＰＰとは、ＰＰが記憶されたｅＳＩＭとＳＭとの間で通信を行うために必要となる情報であり、通信が行われるｅＳＩＭとＳＭとの間の認証鍵が含まれる。ＰＰが記憶されたｅＳＩＭは、当該ＰＰを利用してＳＭとの通信を行い、当該通信を介してＳＭからＯＰを取得する。これにより、当該ｅＳＩＭは前述の通り、取得したＯＰを利用し、対応する移動体通信網での移動体通信を行うことができる。
【発明の概要】
【発明が解決しようとする課題】
【０００６】
ここで、各ＳＭは個別の企業や団体が管理しており、複数のＳＭの間で柔軟な情報共有がなされないという問題がある。例えば、ＰＰが含む、ｅＳＩＭとＳＭとの間の認証鍵がＳＭ間で共有されなければ、ＳＭ間でＰＰを共有できない。その場合、ｅＳＩＭが移動体通信を行う移動体通信網について、あるＳＭに属する移動体通信網から別のＳＭに属する移動体通信網への移行（ＳＭスワップ）を行う場合、移行先のＳＭと通信するためのＰＰを、例えばｅＳＩＭのユーザが移行のたびに用意する必要があり、効率よくＳＭスワップを行えないという問題がある。【０００７】
本発明はそのような課題を解決するためになされたものであり、ＳＭスワップをより効率的に行うことができる通信システム、移動通信装置、移行制御装置、移行制御方法及び移行制御プログラムを提供することを目的とする。
【課題を解決するための手段】
【０００８】
上記目的を達成するために、本発明の一側面に係る通信システムは、移動体通信を行う移動通信装置と、移動通信装置が移動体通信を行う移動体通信網の移行を制御する移行制御装置とを含んで構成される通信システムであって、移動通信装置は、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段と、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、第１の受信手段によって受信されて装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、を備え、移行制御装置は、移動通信装置が移動体通信を行う移動体通信網の移行要求を入力する移行要求入力手段と、移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、移行要求入力手段によって入力された移行要求に係る移動通信装置についての移行先の移動体通信網に係る第１の接続情報を生成して、移行先の移動体通信網に応じた接続情報管理サーバに送信する第２の送信手段と、を備える。【０００９】
本発明の一側面に係る通信システムでは、移行要求に基づいて、移動通信装置の第１の受信手段により、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報が受信され、当該加入者認証モジュールに記憶される。そして、移動通信装置の第２の受信手段により、当該第２の接続情報を用いて、移行先の移動体通信網に応じた接続情報管理サーバと通信が行われ、当該移行先の移動体通信網に係る第１の接続情報が受信され、当該加入者認証モジュールに記憶される。つまり、移動通信装置は、移行元の移動体通信網を介して、予め移行先の移動体通信網に応じた接続情報管理サーバと通信を行うための第２の接続情報を取得し、当該第２の接続情報を用いて対応する接続情報管理サーバと通信を行い、移行先の移動体通信網で移動体通信を行うための第１の接続情報を受信する。それにより、移動通信装置は移行先の移動体通信網で移動体通信を行うことができるようになる。このように、ユーザの特別な介入を伴うことなく、ＳＭスワップをより効率的に行うことができる。【００１０】
移動通信装置は、移動体通信を行う移動体通信網の移行要求を送信する移行要求送信手段をさらに備え、移行制御装置の移行要求入力手段は、移動通信装置の移行要求送信手段によって送信された移行要求を入力することとしてもよい。この構成によれば、移動通信端末側の移行要求に基づいて移行を行うことが可能となるため、移動通信端末側の任意のタイミングで移行を行うことができる。【００１１】
移動通信装置は、装着手段によって装着された加入者認証モジュールに記憶された第１の接続情報を削除する接続情報削除手段をさらに備えることとしてもよい。この構成によれば、例えば、第１の接続情報に係る移動体通信網での移動体通信が不要になった際に、当該第１の接続情報を確実に削除することができる。【００１２】
また、本発明の一側面に係る移動通信装置は、移動体通信を行う移動通信装置であって、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段と、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、第１の受信手段によって受信されて装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、を備える。【００１３】
本発明の一側面に係る移動通信装置では、第１の受信手段により、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報が受信され、当該加入者認証モジュールに記憶される。そして、第２の受信手段により、当該第２の接続情報を用いて、移行先の移動体通信網に応じた接続情報管理サーバと通信が行われ、当該移行先の移動体通信網に係る第１の接続情報が受信され、当該加入者認証モジュールに記憶される。つまり、移動通信装置は、移行元の移動体通信網を介して、予め移行先の移動体通信網に応じた接続情報管理サーバと通信を行うための第２の接続情報を取得し、当該第２の接続情報を用いて対応する接続情報管理サーバと通信を行い、移行先の移動体通信網で移動体通信を行うための第１の接続情報を受信する。それにより、移動通信装置は移行先の移動体通信網で移動体通信を行うことができるようになる。このように、ユーザの特別な介入を伴うことなく、ＳＭスワップをより効率的に行うことができる。【００１４】
また、本発明の一側面に係る移行制御装置は、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力手段と、移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、移行要求入力手段によって入力された移行要求に係る移動通信装置についての移行先の移動体通信網に係る第１の接続情報を生成して、移行先の移動体通信網に応じた接続情報管理サーバに送信する第２の送信手段と、を備える。【００１５】
本発明の一側面に係る移行制御装置では、移行要求入力手段により移行要求が入力される。そして、第１の送信手段により、入力された移行要求に係る移動通信装置に対して、移行元の移動体通信網を介して、移行先の移動体通信網に応じた接続情報管理サーバに係る第２の接続情報が送信される。また、第２の送信手段により、移行先の移動体通信網に係る第１の接続情報が生成され、移行先の移動体通信網に応じた接続情報管理サーバに送信される。これにより、移動通信装置は、移行元の移動体通信網を介して、予め移行先の移動体通信網に応じた接続情報管理サーバと通信を行うための第２の接続情報を取得し、当該第２の接続情報を用いて対応する接続情報管理サーバと通信を行い、移行先の移動体通信網で移動体通信を行うための第１の接続情報を受信することができる。それにより、移動通信装置は移行先の移動体通信網で移動体通信を行うことができるようになる。このように、ユーザの特別な介入を伴うことなく、ＳＭスワップをより効率的に行うことができる。【００１６】
ところで、本発明の一側面は、上記のように通信システム、移動通信装置及び移行制御装置の発明として記述できる他に、以下のようにそれぞれ移行制御方法及び移行制御プログラムの発明としても記述することができる。これはカテゴリが異なるだけで、実質的に同一の発明であり、同様の作用及び効果を奏する。【００１７】
即ち、本発明の一側面に係る移行制御方法は、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える、移動体通信を行う移動通信装置と、移動通信装置が移動体通信を行う移動体通信網の移行を制御する移行制御装置とを含んで構成される通信システムにおける移行制御方法であって、移行制御装置が、移動通信装置が移動体通信を行う移動体通信網の移行要求を入力する移行要求入力ステップと、移行制御装置が、移行要求入力ステップにおいて入力された移行要求に係る移動通信装置に対して、移行元の移動体通信網を介して、移行先の移動体通信網に応じた接続情報管理サーバに係る第２の接続情報を送信する第１の送信ステップと、移動通信装置が、移行元の移動体通信網を介して、第１の送信ステップにおいて送信された第２の接続情報を受信して、当該加入者認証モジュールに記憶させる第１の受信ステップと、移行制御装置が、移行要求入力ステップにおいて入力された移行要求に係る移動通信装置についての移行先の移動体通信網に係る第１の接続情報を生成して、移行先の移動体通信網に応じた接続情報管理サーバに送信する第２の送信ステップと、移動通信装置が、第１の受信ステップにおいて受信されて装着手段によって装着された加入者認証モジュールに記憶された第２の接続情報を用いて、移行先の移動体通信網に応じた接続情報管理サーバと通信を行って、第２の送信ステップにおいて当該接続情報管理サーバに送信された当該移行先の移動体通信網に係る第１の接続情報を受信して、当該加入者認証モジュールに記憶させる第２の受信ステップと、を含む。【００１８】
また、本発明の一側面に係る移行制御方法は、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える、移動体通信を行う移動通信装置による移行制御方法であって、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信ステップと、第１の受信ステップにおいて受信されて装着手段によって装着された加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信ステップと、を含む。【００１９】
また、本発明の一側面に係る移行制御方法は、移動通信装置が移動体通信を行う移動体通信網の移行を制御する移行制御装置による移行制御方法であって、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力ステップと、移行要求入力ステップにおいて入力された移行要求に係る移動通信装置に対して、移行元の移動体通信網を介して、移行先の移動体通信網に応じた接続情報管理サーバに係る第２の接続情報を送信する第１の送信ステップと、移行要求入力ステップにおいて入力された移行要求に係る移動通信装置についての移行先の移動体通信網に係る第１の接続情報を生成して、移行先の移動体通信網に応じた接続情報管理サーバに送信する第２の送信ステップと、を含む。【００２０】
また、本発明の一側面に係る移行制御プログラムは、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備えた、移動体通信を行う移動通信装置を、装着手段によって装着された加入者認証モジュールに記憶された第１の接続情報に係る移動体通信網を介して、当該移動体通信網とは異なる移行先の移動体通信網に応じた接続情報管理サーバに係る第２の接続情報を受信して、当該加入者認証モジュールに記憶させる第１の受信手段と、第１の受信手段によって受信されて加入者認証モジュールに記憶された第２の接続情報を用いて、移行先の移動体通信網に応じた接続情報管理サーバと通信を行って、当該移行先の移動体通信網に係る第１の接続情報を受信して、当該加入者認証モジュールに記憶させる第２の受信手段と、として機能させる。【００２１】
また、本発明の一側面に係る移行制御プログラムは、コンピュータを、移動体通信網に応じた当該移動体通信網による移動体通信を行うために必要である第１の接続情報、及び移動体通信網に応じて設けられると共に第１の接続情報の書き換え制御を行う接続情報管理サーバとの間で通信を行うために必要な第２の接続情報を記憶する加入者認証モジュールを装着する装着手段を備える移動通信装置が移動体通信を行う移動体通信網の移行要求を入力する移行要求入力手段と、移行要求入力手段によって入力された移行要求に係る移動通信装置に対して、移行元の移動体通信網を介して、移行先の移動体通信網に応じた接続情報管理サーバに係る第２の接続情報を送信する第１の送信手段と、移行要求入力手段によって入力された移行要求に係る移動通信装置についての移行先の移動体通信網に係る第１の接続情報を生成して、移行先の移動体通信網に応じた接続情報管理サーバに送信する第２の送信手段と、として機能させる。
【発明の効果】
【００２２】
ＳＭスワップをより効率的に行うことができる。
【図面の簡単な説明】
【００２３】
【図１】本発明の実施形態に係る通信システムの全体構成図である。
【図２】本発明の実施形態に係る移動通信装置、移行制御装置及び接続情報管理サーバの機能ブロック図である。
【図３】本発明の実施形態に係る移動通信装置のハードウェア構成を示す図である。
【図４】本発明の実施形態に係る移行制御装置及び接続情報管理サーバのハードウェア構成を示す図である。
【図５】本発明の実施形態に係る通信システムで実行される処理（移行制御方法）を示すフローチャートである。
【図６】本発明の実施形態に係る移行制御プログラムの構成を、記憶媒体と共に示す図である。
【図７】本発明の実施形態に係る移行制御プログラムの構成を、記憶媒体と共に示す図である。
【発明を実施するための形態】
【００２４】
以下、図面と共に通信システム、移動通信装置、移行制御装置、移行制御方法及び移行制御プログラムの実施形態について詳細に説明する。なお、図面の説明においては同一要素には同一符号を付し、重複する説明を省略する。
【００２５】
図１は、本実施形態に係る通信システム５の全体構成図である。図１に示すように、通信システム５は、移動通信装置１（移動通信装置）と移行制御装置２（移行制御装置）とＳＭ（Subscription  Manager）３（接続情報管理サーバ）と移動体通信網４とを含んで構成される。移動通信装置１は、移動体通信を行う装置であり、具体的には、携帯電話機等に相当する。移動通信装置１には、移動体通信を行う上で必要なｅＳＩＭ（加入者認証モジュール）が装着されている。このように、ｅＳＩＭを装着することで移動体通信を行うことができるため、移動通信装置１は携帯電話機に限らず、例えば建設重機やコピー機等、携帯電話機以外の装置であってもよい。移動通信装置１に装着されているｅＳＩＭは、その内容を遠隔制御にて書き換えることができる。具体的には、移動通信装置１に装着されているｅＳＩＭ内に、遠隔制御にて、オペレーショナルプロファイル（Operational  Profile、ＯＰ、第１の接続情報）やプロビジョニングプロファイル（Provisioning  Profile、ＰＰ、第２の接続情報）を書き込んだり、削除（あるいは無効化）したりすることができる。
【００２６】
ここで、ＯＰとは、移動体通信網４での移動体通信を行うために必要となる情報である。ＯＰには、移動体通信事業者から提供された契約情報である電話番号やＩＭＳＩ（International  Mobile  Subscriber  Identity）が含まれる。移動通信装置１は、ｅＳＩＭ内に記憶されたＯＰを利用することで、対応する移動体通信網４での移動体通信を行うことができる。ここで「対応する移動体通信網４」とは具体的には、ＯＰに含まれている電話番号などの契約情報を提供している移動体通信事業者が管理運営する移動体通信網４である。移動体通信網４は複数あり、移動通信装置１は、それぞれの移動体通信網４においてその移動体通信網４に対応すると共にｅＳＩＭ１１に記憶されているＯＰを利用することで移動体通信を行うことができる。通常ｅＳＩＭ１１には１つあるいは特定の数の移動体通信網４に対応するＯＰが記憶されている。ｅＳＩＭ１１に記憶されていないＯＰに対応する移動体通信網４とは移動体通信を行うことができない。ＯＰは、移動体通信事業者が管理するサーバ（本実施形態では移行制御装置２）で管理され、適宜、後述のＳＭ３に配布される。
【００２７】
ＰＰとは、移動通信装置１と後述のＳＭ３との間で通信を行うために必要となる情報である。ＰＰには、移動通信装置１とＳＭ３との間の認証鍵が含まれる。移動通信装置１は、ｅＳＩＭ内に記憶されたＰＰを利用することで、対応するＳＭ３との通信を行うことができる。ここで「対応するＳＭ３」とは具体的には、ＰＰに含まれる認証鍵で通信を行うことができるＳＭ３のことである。なお、ＳＭ３は複数あり、それぞれのＳＭ３と移動通信装置１との間の認証鍵が基本的には異なり、ＳＭ３と移動通信装置１とは１対１の関係であるため、各ＳＭ３に対応する認証鍵を含むＰＰを利用しないと、当該ＳＭ３とは通信を行うことができない。移動通信装置１は、ｅＳＩＭ内に記憶されたＰＰを利用してＳＭ３との通信を行い、当該通信を介してＳＭ３からＯＰを取得してｅＳＩＭ内に記憶し、当該ＯＰを利用して対応する移動体通信網４において移動体通信を行う。なお、ＰＰには移動通信装置１とＳＭ３との間の認証鍵が含まれると説明したが、これに限るものではない。例えば、ＰＰには移動通信装置１とＳＭ３との間の認証鍵が含まれず、ＰＰを送受信等する際にＰＰと共に当該認証鍵をセットで送受信等して、同様に処理を行ってもよい。
【００２８】
移行制御装置２は、移動体通信事業者が管理するサーバ装置である。移行制御装置２は、移動通信装置１が移動体通信を行う後述の移動体通信網４の移行を制御する。具体的には、図１において、移動体通信網４ａにおいて移動体通信を行っている移動通信装置１が、移動体通信網４ａとは異なる移動体通信網４ｂにおいて移動体通信を行えるように、移行制御装置２が移動通信装置１の移行を制御する。本実施形態では、移動体通信事業者Ａが移行制御装置２を管理しているものとする。
【００２９】
ＳＭ３は、移動体通信網４に応じて設けられ、移動通信装置１が当該移動体通信網４において移動体通信を行うために必要な接続情報を管理する接続情報管理サーバである。ＳＭ３は、具体的には、接続情報として、各移動体通信事業者から提供されるＯＰを格納し、管理する。それぞれのＳＭ３は、予めＯＰを管理する移動体通信網４が定められており、それらの移動体通信網４と接続されている。ＳＭ３と移動体通信網４との間の接続は、移動体通信網４を集約するサーバ装置（例えば、ＳＭ３を管理する事業者やそれと提携する事業者によって設けられる）を介して行われてもよい。また、ＳＭ３は、移動通信装置１と通信を確立し、移動通信装置１に対してＯＰの書き込みや削除や無効化を指示する。例えば、ＳＭ３は、移動体通信事業者とは異なる事業者や団体（一例として、ｅＳＩＭ製造販売業者）が管理運営を行うが、特定の移動体通信事業者が管理運営を行ってもよい。ＳＭ３と移動通信装置１との間の通信は、上述したようにＰＰが用いられて移動体通信網４を介して行われる。移動通信装置１は、ＳＭ３との通信の際に移動体通信網４に接続されるが、ＳＭ３との通信のみが許可され、例えば他の移動通信装置１との間の通信等の移動体通信網４から提供される通常の移動体通信機能を利用することができない。また、ＳＭ３と移動通信装置１とが通信される際に経由される移動体通信網４は、ＳＭ３と接続された任意の移動体通信網４でもよいし、例えばＰＰにおいて指定された移動体通信網４でもよい。また、ＳＭ３は、移行制御装置２と専用線などのネットワークによって接続されており、移行制御装置２との間でＯＰなどの送受信が可能である。ＳＭ３は、具体的にはｅＳＩＭ規格におけるＳＭ（Subscription  Manager）に相当する。図１に示す全体構成図では、ＳＭ３ａとＳＭ３ｂの２つの接続情報管理サーバが存在している。なお、異なるＳＭ３は対立するアライアンスであるケースが多く、双方で柔軟な情報共有が行われないことが多い（そのため、異なるＳＭ３間でＰＰを共通したり融通されたりすることはない）。
【００３０】
移動体通信網４は、移動通信装置１が移動体通信を行うネットワークである。移動通信装置１が移動体通信網４において移動体通信を行うには、当該移動体通信網４に対応するＳＭ３から、通信に必要なＯＰを取得し、当該ＯＰを利用する必要がある。なお、本実施形態では、ＳＭ３に格納されているＯＰを利用して移動体通信が可能な移動体通信網４を、ＳＭ３に属する移動体通信網４と呼ぶ。ＳＭ３に属する移動体通信網４は１つ以上あってもよく、それぞれの移動体通信網４は異なる移動体通信事業者が管理していてもよいし、そのうちの一部又は全てを同じ移動体通信事業者が管理していてもよい。図１に示す全体構成図では、ＳＭ３ａ及びＳＭ３ｂにはそれぞれ４つの移動体通信網４が属している。本実施形態では、移動体通信事業者Ａが移動体通信網４ａ及び移動体通信網４ｂを管理しているものとする。
【００３１】
以上、通信システム５の全体構成について説明した。なお、本実施形態における以降の説明では、図１に示す通り、移動通信装置１が移行元の移動体通信網４ａから移行先の移動体通信網４ｂに移行を行う際の場面を想定している。なお、ここで言う移行とは、ｅＳＩＭ１１に記憶されて移動通信装置１による移動体通信に用いるＯＰを移動体通信網４ａ用のものから、移動体通信網４ｂ用のものに変更することを言う。また、移行元の移動体通信網４ａに対応するＳＭ３ａと、移行先の移動体通信網４ｂに対応するＳＭ３ｂとは互いに異なるものである。この場合、ｅＳＩＭ１１には、移動体通信網４ｂ用のＯＰは記憶されておらず、また、ＳＭ３ｂと通信を行うためのＰＰは記憶されていない。
【００３２】
この場面の具体例としては、移動体通信事業者Ａが移動体通信網４ａを提供しており、同じく移動体通信事業者Ａが移動体通信網４ａとは機能が異なる移動体通信網４ｂを提供しており、移動体通信網４ａを利用している移動通信装置１のユーザが、移動体通信網４ｂを利用したい場合が挙げられる。その他の具体例としては、移動体通信網４ａのサービス提供地域Ｍと移動体通信網４ｂのサービス提供地域Ｎが物理的に離れており（例えば異なる国）、移動通信装置１のユーザがサービス提供地域Ｍからサービス提供地域Ｎに移動した際に、移動先のサービス提供地域Ｎにおいても移動体通信事業者Ａが提供するサービスを受けたい場合が挙げられる。
【００３３】
続いて、移動通信装置１、移行制御装置２及びＳＭ３の機能構成について説明する。図２は、本実施形態に係る移動通信装置１、移行制御装置２及びＳＭ３の構成を示す機能ブロック図である。図２に示す通り、移動通信装置１は、装着部１０（装着手段）、ｅＳＩＭ１１、移行要求送信部１２（移行要求送信手段）、ＰＰ受信部１３（第１の受信手段）、ＯＰ削除部１４（接続情報削除手段）、及びＯＰ受信部１５（第２の受信手段）を含んで構成される。また、移行制御装置２は、移行要求入力部２０（移行要求入力手段）、ＰＰ送信部２１（第１の送信手段）、ＯＰ削除指示部２２、ＯＰ取出指示部２３、ＯＰ送信部２４（第２の送信手段）、及びＯＰ登録指示部２５を含んで構成される。ＳＭ３は、ＯＰ削除指示部３０、ＯＰ取出部３１、ＯＰ受信部３２、及びＯＰ登録指示部３３を含んで構成される。
【００３４】
移動通信装置１、移行制御装置２及びＳＭ３の各構成について説明する前に、移動通信装置１が移行元の移動体通信網４ａから移行先の移動体通信網４ｂに移行を行う際の処理の流れの概要について簡単に説明する。移動体通信網４ａ用のＯＰを利用して移動体通信を行っている移動通信装置１が、移動体通信網４ｂに移行する際に、まず現在の移動体通信網４ａを介して移動体通信網４ｂ用のＰＰを受信する。そして移動体通信網４ａ用のＯＰを削除（あるいは無効化）し、受信した移動体通信網４ｂ用のＰＰを用いてＳＭ３ｂと通信を行い、ＳＭ３ｂから移動体通信網４ｂ用のＯＰを受信し、受信した移動体通信網４ｂ用のＯＰを利用して移動体通信網４ｂにて移動体通信を行う。
【００３５】
まず、移動通信装置１の各構成について説明する。
【００３６】
装着部１０は、後述のｅＳＩＭ１１を装着する手段である。装着部１０は、ｅＳＩＭ１１を物理的に取り外すことができるように着脱可能な仕組みで装着してもよいし、ｅＳＩＭ１１を物理的に取り外せないように、移動通信装置１に埋め込むなど着脱不可能な仕組みで装着してもよい。
【００３７】
ｅＳＩＭ１１は、その内容を遠隔制御にて書き換えることができる加入者認証モジュールである。ｅＳＩＭ１１は、移動体通信網４に応じた当該移動体通信網４による移動体通信を行うために必要であるＯＰ、及び移動体通信網４に応じて設けられると共にＯＰの書き換え制御を行うＳＭ３との間で通信を行うために必要なＰＰを記憶する。なお、ＰＰは移動体通信事業者が提供するものであり、ＰＰを利用した通信は、当該移動体通信事業者が提供する移動体通信網４を利用する。
【００３８】
移行要求送信部１２は、移動通信装置１が移動体通信を行う移動体通信網４の移行の要求に関する情報である移行要求を、移行制御装置２に送信する手段である。移行要求送信部１２が送信する移行要求には、例えば、移行の主体である当該移動通信装置１に装着されたｅＳＩＭ１１の識別情報（番号）、移行元の移動体通信網４の識別情報、及び移行先の移動体通信網４の識別情報を含む。移行要求に含まれる情報は移動通信装置１に予め記憶されていても良いし、移動通信装置１のユーザが適宜入力しても良い。移行要求送信部１２が送信する移行要求は、移動通信装置１のユーザが指定して作成しても良いし、移動通信装置１あるいは移動通信装置１内にて起動しているアプリケーションなどが作成しても良い。移行要求送信部１２は、移行要求の送信先である移行制御装置２を決定する際に、例えば、移動通信装置１が現在移動体通信を行っている移動体通信網４を管理する移動体通信事業者をＯＰなどを参照することで特定し、移動通信装置１内に予め記憶された移動体通信事業者ごとの移行制御装置２の宛先リストを参照することで、送信先を決定する。移行要求送信部１２は、移動通信装置１が現在移動体通信を行っている移動体通信網４を介して、後述の移行制御装置２の移行要求入力部２０に移行要求を送信する。
【００３９】
ＰＰ受信部１３は、装着部１０によって装着されたｅＳＩＭ１１に記憶されたＯＰに係る移動体通信網４を介して、当該移動体通信網４とは異なる移行先の移動体通信網４に応じたＳＭ３に係るＰＰを受信して、当該ｅＳＩＭ１１に記憶させる。図１の構成図の例を元に具体的に説明すると、ＰＰ受信部１３は、装着部１０によって装着されたｅＳＩＭ１１に記憶されたＯＰに係る移動体通信網４ａを介して、移行先の移動体通信網４ｂに応じたＳＭ３ｂに係るＰＰを受信して、当該ｅＳＩＭ１１に記憶させる。なお、ＰＰ受信部１３が受信するＰＰの送信元は、後述の移行制御装置２のＰＰ送信部２１である。また、ＰＰ受信部１３は、移行要求送信部１２による移行要求の送信の応答として、ＰＰを受信しても良い。ＰＰ受信部１３がＰＰを受信した時点では、ＰＰは非アクティブの状態（当該ＰＰを用いてＳＭ３との通信が行えない状態）であり、受信後に、ＰＰ受信部１３がＰＰをアクティブの状態（当該ＰＰを用いてＳＭ３との通信が行える状態）に変更する。なお、ＳＭ３ａに属する移動体通信網４ａのＯＰが格納されている状態（アクティブ状態）では、ＳＭ３ａとは異なるＳＭ３ｂのＰＰを通常ＰＰを格納する領域に記憶できない場合がある。その場合は、ｅＳＩＭ１１において移動体通信事業者が自由に読み書き可能な領域（自由領域）に記憶されたプロファイル情報の中にＳＭ３ｂに係るＰＰに記憶させることとしてもよい。また、ＰＰ受信部１３は、移行先の移動体通信網４ｂに応じたＳＭ３ｂに係るＰＰをｅＳＩＭ１１に記憶させる際に、すでにｅＳＩＭ１１に記憶していた移行元の移動体通信網４ａに応じたＳＭ３ａに係るＰＰを削除してもよいし、無効化して記憶しておいてもよい。
【００４０】
ＯＰ削除部１４は、ｅＳＩＭ１１に記憶されたＯＰの削除を指示する情報である削除指示を受信し、当該ＯＰを削除する手段である。なお、ＯＰ削除部１４は、ｅＳＩＭ１１に記憶されたＯＰに係る移動体通信網４を介して、当該ＯＰの送信元であるＳＭ３のＯＰ削除指示部３０から送信された削除指示を受信する。また、ＯＰ削除部１４は、実際にはＯＰを削除せずに、無効化して記憶しておいてもよい。
【００４１】
ＯＰ受信部１５は、ＰＰ受信部１３によって受信されて装着部１０によって装着されたｅＳＩＭ１１に記憶されたＰＰを用いて、移行先の移動体通信網４に応じたＳＭ３と通信を行って、当該移行先の移動体通信網４に係るＰＰを受信して、当該ｅＳＩＭ１１に記憶させる手段である。図１の構成図の例を元に具体的に説明すると、ＯＰ受信部１５は、ｅＳＩＭ１１に記憶された、ＳＭ３ｂに接続するためのＰＰを用いて、ＳＭ３ｂと通信を行って、移動体通信網４ｂに係るＰＰを受信して、ｅＳＩＭ１１に記憶させる。これにより、移動通信装置１は、ｅＳＩＭ１１に記憶された移動体通信網４ｂに係るＰＰを用いて移動体通信網４ｂにおける移動体通信を行うことが可能となる。
【００４２】
以上、移動通信装置１の各構成について説明した。続いて、移行制御装置２の各構成要素について説明する。
【００４３】
移行要求入力部２０は、移動通信装置１が移動体通信を行う移動体通信網４の移行要求を入力する手段である。移行要求入力部２０は、移行制御装置２の管理者などが指定した移行要求を入力しても良いし、移動通信装置１の移行要求送信部１２や外部のサーバなどから送信された移行要求を入力しても良い。本実施形態では、移行要求入力部２０は、移動通信装置１の移行要求送信部１２から送信された移行要求を入力するものとする。この場合、移行要求入力部２０は、移動通信装置１の移行要求送信部１２が移行要求を送信する際に利用した、移動通信装置１が現在移動体通信を行っている移動体通信網４を介して、移行要求を入力する。移行要求入力部２０により入力された移行要求に含まれる情報、すなわち移行の主体である当該移動通信装置１に装着されたｅＳＩＭ１１の識別情報、移行元の移動体通信網４の識別情報、及び移行先の移動体通信網４の識別情報などは、移行制御装置２内に記憶され、移行制御装置２に含まれる各構成要素の後続の処理において適宜参照されてｅＳＩＭ１１、移行元の移動体通信網４及び移行先の移動体通信網４の特定に利用される。また、これらの情報については、適宜ＳＭ３等との間で送受信される情報に含められ、ＳＭ３においても同様にｅＳＩＭ１１、移行元の移動体通信網４及び移行先の移動体通信網４の特定が行われる。なお、移行制御装置２と移動通信装置１との間の通信等に基づき特定できる情報がある場合（例えば、移行元の移動体通信網４）には、必ずしも移行要求に情報を含める必要はない。また、移行制御装置２では、移動体通信網４とＳＭ３との対応関係を把握しており、移動体通信網４から当該移動体通信網４に対応するＳＭ３を特定することができる。あるいは、移行元の移動体通信網４及び移行先の移動体通信網４にそれぞれ対応するＳＭ３の識別情報が、移行要求に含めるようにしておき、識別情報からそれぞれのＳＭ３を特定することとしてもよい。
【００４４】
ＰＰ送信部２１は、移行要求入力部２０によって入力された移行要求の送信元である移動通信装置１（ｅＳＩＭ１１）に対して、移行元の移動体通信網４を介して、移行先の移動体通信網４に応じたＳＭ３に係るＰＰを送信する。図１の構成図の例を元に具体的に説明すると、ＰＰ送信部２１は、移動通信装置１（ｅＳＩＭ１１）に対して、移動体通信網４ａを介して、移動体通信網４ｂに応じたＳＭ３ｂに係るＰＰを送信する。ＰＰ送信部２１が送信するＳＭ３ｂに係るＰＰは、例えば、予め移行制御装置２においてＳＭ３ごとに記憶されており、移行要求入力部２０によって特定された移行先の移動体通信網４に対応するＳＭ３に基づいてＰＰ送信部２１により決定される。
【００４５】
ＯＰ削除指示部２２は、移動通信装置１のｅＳＩＭ１１に記憶された移行元の移動体通信網４ａに対応するＯＰを削除する指示情報である削除指示を送信する手段である。ＯＰ削除指示部２２は、ＰＰ送信部２１によって送信されたＰＰが、移動通信装置１のＰＰ受信部１３によって受信され、当該移動通信装置１のｅＳＩＭ１１に記憶されたのを判定した（例えば、当該記憶が無事完了した旨のＡＣＫを移動通信装置１から受信した）後に、削除指示を送信する。ＯＰ削除指示部２２は、後述のＳＭ３（ＳＭ３ａ）のＯＰ削除指示部３０に削除指示を送信する。ＯＰ削除指示部２２は、ＰＰ送信部２１が送信したＰＰの宛先である移動通信装置１（ｅＳＩＭ１１）に対して、削除指示を送信する。
【００４６】
ＯＰ取出指示部２３は、ＳＭ３で管理されているｅＳＩＭ１１用の移行元の移動体通信網４ａに対応するＯＰを移行制御装置２側に取り出す指示情報である取出指示を、後述のＳＭ３のＯＰ取出部３１に送信する手段である。ＯＰ取出指示部２３が送信する取出指示には、取り出すＯＰの識別情報又はｅＳＩＭ１１の識別情報が含まれている。ＯＰ取出指示部２３は、取出指示を送信した応答として、ＳＭ３からＯＰを受信し、移行制御装置２内に記憶させる。
【００４７】
ＯＰ送信部２４は、移行要求入力部２０によって入力された移行要求に係る移動通信装置１（ｅＳＩＭ１１）についての移行先の移動体通信網４に係るＯＰを生成して、移行先の移動体通信網４に応じたＳＭ３に送信する手段である。図１の構成図の例を元に具体的に説明すると、ＯＰ送信部２４は、移動体通信網４ｂに係るｅＳＩＭ１１用のＯＰを生成して、ＳＭ３ｂに送信する。ＯＰ送信部２４は、ＯＰ取出指示部２３によって移行制御装置２内に記憶されたＯＰに基づいて、移動体通信網４に係るＯＰを生成する。また、ＯＰ送信部２４は、生成したＯＰを、後述のＳＭ３のＯＰ受信部３２に送信する。なお、ＯＰの生成については従来技術を用いて行う。
【００４８】
ＯＰ登録指示部２５は、移動通信装置１のｅＳＩＭ１１に対して、ＳＭ３に格納されているＯＰを登録する（ＯＰをｅＳＩＭ１１に記憶させる）指示情報である登録指示を送信する手段である。具体的には、ＯＰ登録指示部２５は、ＯＰ送信部２４によって送信されたＯＰを受信したＳＭ３における後述のＯＰ登録指示部３３に、当該ＯＰを登録する旨の登録指示を送信する。登録指示には、ＯＰの登録先である移動通信装置１のｅＳＩＭ１１の識別情報と、登録するＯＰの識別情報が含まれる。なお、ＯＰ登録指示部２５は、登録指示に含まれる登録先の移動通信装置１を、移行要求入力部２０によって入力された移行要求に含まれるｅＳＩＭ１１の識別情報に基づいて決定する。
【００４９】
以上、移行制御装置２の各構成について説明した。なお、移行制御装置２は、上述の各構成の一部処理を代行する制御部（不図示）を備えてもよい。続いて、ＳＭ３の各構成要素について説明する。
【００５０】
ＯＰ削除指示部３０は、移行制御装置２のＯＰ削除指示部２２によって送信された削除指示を受信し、受信した削除指示に含まれるｅＳＩＭ１１の識別情報に基づいて宛先である移動通信装置１を判定し、受信した削除指示を当該移動通信装置１のＯＰ削除部１４に送信する。
【００５１】
ＯＰ取出部３１は、移行制御装置２のＯＰ取出指示部２３によって送信された取出指示を受信し、受信した取出指示に含まれるＯＰの識別情報が示すＯＰ、又は受信した取出指示に含まれるｅＳＩＭ１１の識別情報に対応するＯＰを、各ＯＰを記憶管理しているＳＭ３の記憶部（不図示）から削除し、当該ＯＰを取出指示の送信元である移行制御装置２に送信する手段である。なお、ＳＭ３にはｅＳＩＭ１１の識別情報と当該ｅＳＩＭ１１に記憶されているＯＰとの対応表が記憶されており、ＯＰ取出部３１は当該対応表を参照することで、ｅＳＩＭ１１の識別情報から対応するＯＰを抽出することができる。
【００５２】
ＯＰ受信部３２は、移行制御装置２のＯＰ送信部２４から送信されたＯＰを受信し、上述のＳＭ３の記憶部に記憶する手段である。
【００５３】
ＯＰ登録指示部３３は、移行制御装置２のＯＰ登録指示部２５から送信された登録指示を受信し、登録指示に含まれるＯＰの識別情報に対応するＯＰを上述の記憶部から取得し、取得したＯＰを、登録指示に含まれるｅＳＩＭ１１の識別情報に対応する移動通信装置１のＯＰ受信部１５に対して送信する。
【００５４】
以上、ＳＭ３の各構成について説明した。続いて、移動通信装置１、移行制御装置２及びＳＭ３のハードウェア構成について説明する。
【００５５】
図３に移動通信装置１のハードウェア構成を示す。図３に示すように、移動通信装置１は、ＣＰＵ（Central  Processing  Unit）１０１、主記憶装置であるＲＡＭ（Random  Access  Memory）１０２及びＲＯＭ（Read  Only  Memory)１０３、入力デバイスである操作部１０４、データ送受信デバイスである無線通信部１０５、出力デバイスであるディスプレイ１０６、及びアンテナ１０７等のハードウェアにより構成されている。なお、移動通信装置１は、ハードウェアとして、上述の通り、装着部１０及びｅＳＩＭ１１も備える。また、ディスプレイ１０６は必須構成要素ではない。これらの構成要素が動作することにより、図２に示した移動通信装置１の各構成要素の機能が発揮される。
【００５６】
図４に移行制御装置２のハードウェア構成を示す。図４に示すように、移行制御装置２及びＳＭ３は、ＣＰＵ２０１、主記憶装置であるＲＡＭ２０２及びＲＯＭ２０３、データ送受信デバイスである通信モジュール２０４、及び記憶デバイスである補助記憶装置２０５等のハードウェアにより構成されている。なお、これらの構成要素が動作することにより、図２に示した移行制御装置２及びＳＭ３の各構成要素の機能が発揮される。
【００５７】
ＳＭ３のハードウェア構成は、図４に示す移行制御装置２のハードウェア構成と同様のため説明を省略する。移行制御装置２と同様に、ハードウェアの構成要素が動作することにより、図２に示したＳＭ３の各構成要素の機能が発揮される。
【００５８】
続いて、図５のシーケンス図を用いて、本実施形態に係る通信システム５で実行される処理（移行制御方法）を説明する。図５に示すシーケンスを進めていく前提として、図１に示す全体構成図において、移動通信装置１のｅＳＩＭ１１には移動体通信網４ａ用のＯＰが記憶されており、移動通信装置１は当該ＯＰを利用して移動体通信網４ａにて移動体通信を行っており、これから移動体通信網４ｂに移行する場面を想定している。
【００５９】
まず、移動通信装置１の移行要求送信部１２により、移動体通信網４ｂへの移行要求が移行制御装置２に送信され、送信された移行要求が、移行制御装置２の移行要求入力部２０により入力（受信）される（Ｓ１、移行要求入力ステップ）。次に、ＰＰ送信部２１により、移動通信装置１の移行先である移動体通信網４ｂに応じたＳＭ３ｂ用のＰＰを移動通信装置１に送信し（第１の送信ステップ）、送信されたＳＭ３ｂ用のＰＰが、移動通信装置１のＰＰ受信部１３により受信される（Ｓ２、第１の受信ステップ）。次に、移動通信装置１のＰＰ受信部１３により、受信されたＳＭ３ｂ用のＰＰがｅＳＩＭ１１に記憶（登録）される（Ｓ３）。Ｓ３にてＳＭ３ｂ用のＰＰの登録が完了すると、ＰＰ受信部１３により、登録が完了した旨のＡＣＫが移行制御装置２に送信される（Ｓ４）。
【００６０】
次に、移行制御装置２のＯＰ削除指示部２２により、移動通信装置１のｅＳＩＭ１１に記憶されている移動体通信網４ａ用のＯＰの削除指示がＳＭ３ａに送信され（Ｓ５）、ＳＭ３ａのＯＰ削除指示部３０により、当該削除指示が移動通信装置１のＯＰ削除部１４に送信される（Ｓ６）。次に、移動通信装置１のＯＰ削除部１４により、受信した削除指示にて指定された移動体通信網４ａ用のＯＰがｅＳＩＭ１１から削除される（Ｓ７）。Ｓ７にて移動体通信網４ａ用のＯＰの削除が完了すると、ＯＰ削除部１４により、削除が完了した旨のＡＣＫがＳＭ３ａを介して移行制御装置２に送信される（Ｓ８及びＳ９）。また、Ｓ７にて移動体通信網４ａ用のＯＰの削除が完了すると、移動通信装置１のｅＳＩＭ１１内にて、Ｓ３にて登録されたＳＭ３ｂ用のＰＰがアクティブ状態となり、ＳＭ３ｂとの通信を行えるようになる（Ｓ１０）。
【００６１】
次に、移行制御装置２のＯＰ取出指示部２３により、移動体通信網４ａ用のＯＰの取出指示がＳＭ３ａに送信される（Ｓ１１）。送信された取り出し指示は、ＳＭ３ａのＯＰ取出部３１により受信され、ＳＭ３ａのＯＰ取出部３１により、ＳＭ３ａの記憶部に記憶されている移動体通信網４ａ用のＯＰが取り出され（Ｓ１２）、移行制御装置２に送信され、送信された移動体通信網４ａ用のＯＰが移行制御装置２のＯＰ取出指示部２３により受信される（Ｓ１３）。次に、移行制御装置２のＯＰ送信部２４により、Ｓ１３にて受信された移動体通信網４ａ用のＯＰに基づいて移動体通信網４ｂ用のＯＰが生成され、ＳＭ３ｂに送信される（Ｓ１４、第２の送信ステップ）。次に、ＳＭ３ｂのＯＰ受信部３２は、送信された移動体通信網４ｂ用のＯＰを受信し、ＳＭ３ｂの記憶部に記憶（登録）する（Ｓ１５）。
【００６２】
次に、移行制御装置２のＯＰ登録指示部２５により、移動体通信網４ｂ用のＯＰの登録指示がＳＭ３ｂに送信される（Ｓ１６）。次に、ＳＭ３ｂのＯＰ登録指示部３３により、Ｓ１６にて送信された登録指示を受信し、登録指示に基づいて記憶部から移動体通信網４ｂ用のＯＰを取得し、移動通信装置１に送信する（Ｓ１７）。次に、移動通信装置１のＯＰ受信部１５により、Ｓ１７にて送信された移動体通信網４ｂ用のＯＰが受信され、移動通信装置１のｅＳＩＭ１１に記憶（登録）される（Ｓ１８、第２の受信ステップ）。Ｓ１８にて移動体通信網４ｂ用のＯＰの登録が完了すると、ＯＰ受信部１５により、登録が完了した旨のＡＣＫがＳＭ３ｂを介して移行制御装置２に送信される（Ｓ１９及びＳ２０）。以上が図５に示すシーケンスの説明である。
【００６３】
上述したように、本実施形態では、移行要求に基づいて、移動通信装置１のＰＰ受信部１３により、装着部１０によって装着されたｅＳＩＭ１１に記憶されたＯＰに係る移動体通信網４ａを介して、移動体通信網４ａとは異なる移行先の移動体通信網４ｂに応じたＳＭ３ｂに係るＰＰが受信され、ｅＳＩＭ１１に記憶される。そして、移動通信装置１のＯＰ受信部１５により、当該ＰＰを用いてＳＭ３ｂと通信が行われ、移行先の移動体通信網４ｂに係るＯＰが受信され、ｅＳＩＭ１１に記憶される。つまり、移動通信装置１は、移行元の移動体通信網４ａを介して、予め移行先の移動体通信網４ｂに応じたＳＭ３ｂと通信を行うためのＰＰを取得し、当該ＰＰを用いて対応するＳＭ３ｂと通信を行い、移行先の移動体通信網４ｂで移動体通信を行うためのＯＰを受信する。それにより、移動通信装置１は移行先の移動体通信網４ｂで移動体通信を行うことができるようになる。このように、ユーザの特別な介入を伴うことなく、ＳＭスワップをより効率的に行うことができる。
【００６４】
移動通信装置１は、移動体通信を行う移動体通信網４の移行要求を送信する移行要求送信部１２をさらに備え、移行制御装置２の移行要求入力部２０は、移動通信装置１の移行要求送信部１２によって送信された移行要求を入力することとしてもよい。この構成によれば、移動通信装置１側の移行要求に基づいて移行を行うことが可能となるため、移動通信装置１側の任意のタイミングで移行を行うことができる。
【００６５】
移動通信装置１は、装着部１０によって装着されたｅＳＩＭ１１に記憶されたＯＰを削除するＯＰ削除部１４をさらに備えることとしてもよい。この構成によれば、例えば、ＯＰに係る移動体通信網４での移動体通信が不要になった際に、当該ＯＰを確実に削除することができる。
【００６６】
引き続いて、上述した一連の移動通信装置１による処理をコンピュータに実行させるための移行制御プログラム７０を説明する。図６に示すように、移行制御プログラム７０は、コンピュータに挿入されてアクセスされる、あるいはコンピュータが備える記録媒体６０に形成されたプログラム格納領域６１内に格納される。より具体的には、移行制御プログラム７０は、移動通信装置１が備える記録媒体６０に形成されたプログラム格納領域６１内に格納される。
【００６７】
移行制御プログラム７０は、移行要求送信モジュール７００と、ＰＰ受信モジュール７０１と、ＯＰ削除モジュール７０２と、ＯＰ受信モジュール７０３とを備えて構成される。移行要求送信モジュール７００と、ＰＰ受信モジュール７０１と、ＯＰ削除モジュール７０２と、ＯＰ受信モジュール７０３とを実行させることにより実現される機能は、上述した移動通信装置１の移行要求送信部１２と、ＰＰ受信部１３と、ＯＰ削除部１４と、ＯＰ受信部１５との機能とそれぞれ同様である。
【００６８】
なお、移行制御プログラム７０は、その一部若しくは全部が、通信回線等の伝送媒体を介して伝送され、他の機器により受信されて記録（インストールを含む）される構成としてもよい。また、移行制御プログラム７０の各モジュールは、１つのコンピュータでなく、複数のコンピュータのいずれかにインストールされてもよい。その場合、当該複数のコンピュータによるコンピュータシステムよって上述した一連の移行制御プログラム７０の処理が行われる。
【００６９】
続いて、上述した一連の移行制御装置２による処理をコンピュータに実行させるための移行制御プログラム９０を説明する。図７に示すように、移行制御プログラム９０は、コンピュータに挿入されてアクセスされる、あるいはコンピュータが備える記録媒体８０に形成されたプログラム格納領域８１内に格納される。
【００７０】
移行制御プログラム９０は、移行要求入力モジュール９００と、ＰＰ送信モジュール９０１と、ＯＰ削除指示モジュール９０２と、ＯＰ取出指示モジュール９０３と、ＯＰ送信モジュール９０４と、ＯＰ登録指示モジュール９０５とを備えて構成される。移行要求入力モジュール９００と、ＰＰ送信モジュール９０１と、ＯＰ削除指示モジュール９０２と、ＯＰ取出指示モジュール９０３と、ＯＰ送信モジュール９０４と、ＯＰ登録指示モジュール９０５とを実行させることにより実現される機能は、上述した移行制御装置２の移行要求入力部２０と、ＰＰ送信部２１と、ＯＰ削除指示部２２と、ＯＰ取出指示部２３と、ＯＰ送信部２４と、ＯＰ登録指示部２５との機能とそれぞれ同様である。
【００７１】
なお、移行制御プログラム９０は、その一部若しくは全部が、通信回線等の伝送媒体を介して伝送され、他の機器により受信されて記録（インストールを含む）される構成としてもよい。また、移行制御プログラム９０の各モジュールは、１つのコンピュータでなく、複数のコンピュータのいずれかにインストールされてもよい。その場合、当該複数のコンピュータによるコンピュータシステムよって上述した一連の移行制御プログラム９０の処理が行われる。
【符号の説明】
【００７２】
１…移動通信装置、１０…装着部、１１…ｅＳＩＭ、１２…移行要求送信部、１３…ＰＰ受信部、１４…ＯＰ削除部、１５…ＯＰ受信部、２…移行制御装置、２０…移行要求入力部、２１…ＰＰ送信部、２２…ＯＰ削除指示部、２３…ＯＰ取出指示部、２４…ＯＰ送信部、２５…ＯＰ登録指示部、３・３ａ・３ｂ…ＳＭ、３０…ＯＰ削除指示部、３１…ＯＰ取出部、３２…ＯＰ受信部、３３…ＯＰ登録指示部、４・４ａ・４ｂ…移動体通信網、５…通信システム、６０…記録媒体、６１…プログラム格納領域、７０…移行制御プログラム、８０…記憶媒体、８１…プログラム格納領域、９０…移行制御プログラム。
【図１】
2014065273.tif 000003
【図２】
2014065273.tif 000004
【図３】
2014065273.tif 000005
【図４】
2014065273.tif 000006
【図５】
2014065273.tif 000007
【図６】
2014065273.tif 000008
【図７】
2014065273.tif 000009
【国際調査報告】
2014065273.tif 000010
2014065273.tif 000011
2014065273.tif 000012
2014065273.tif 000013